(57)【要約】【課題】屋根に積もった圧縮状態の雪を地上から切断して容易に落下できると共に、屋根から落下させた雪塊が作業者に当たることを防止できる除雪スコップを提供する。【解決手段】除雪スコップ１０は、角型のスコップ本体１と操作棒２を備える。スコップ本体１は、平坦な雪受け部１１を前方部に設け、除雪部１２を後方部に設ける。除雪部１２は、雪受け部１１の後部から上り傾斜するように屈曲され、楔形の排雪突部１２ａを中央部に設け除雪部１２は、雪受け部１１の後部から上り傾斜するように屈曲され、楔形の排雪突部１２ａを中央部に設けている。排雪突部１２ａは、雪受け部１１から移動された雪塊をスコップ本体１の移動方向と交差する方向に分断できる。雪受け部１１は、圧縮状態の雪を切断できる一対の鋸刃１１ｂ・１１ｂを両側縁部に形成している。分断された雪塊は、少なくとも一方の傾斜面１２１を経由して外部に排雪される。【選択図】図１
0003173219.tif 000002
【実用新案登録請求の範囲】
【請求項１】
屋根に積もった、少なくとも圧縮状態の雪に差し込み可能な、硬質部材からなる角型のスコップ本体と、
このスコップ本体に先端部が着脱自在に固定された伸縮自在な操作棒と、を備え、
前記スコップ本体は、
前方部に設けられ、前縁部を圧縮状態の雪に差し込み可能な平坦な雪受け部と、
後方部に設けられ、前記雪受け部の後部から上り傾斜するように屈曲され、前記雪受け部から移動された雪塊を当該スコップ本体の移動方向と交差する方向に分断可能な楔形の排雪突部を中央部に設けた除雪部と、を有し、
前記雪受け部は、圧縮状態の雪を切断可能な鋸刃を両側縁部に有し、
前記除雪部の排雪突部は、
当該除雪部の中央部に形成され、後方に向かって上り傾斜した稜線と、
この稜線に向かって上り傾斜した一対の傾斜面と、を有し、
分断された雪塊は、少なくとも一方の前記傾斜面を経由して外部に排雪される除雪スコップ。
【考案の詳細な説明】
【技術分野】
【０００１】
本考案は、除雪スコップに関する。特に、家屋などの傾斜した屋根に積もった雪を地上から除いて、これらの雪塊を地上に落下させる除雪スコップの構造に関する。
【背景技術】
【０００２】
積雪地では、雪が降り続くと、家屋が雪の重みで倒壊しないようにするために、作業者が屋根に登り、スコップ又はスノーダンプを用いて、屋根に積もった雪を地上に落下させている。このような屋根の除雪は、雪降ろしと呼ばれ、作業者にとって、肉体的に負担の大きい人手作業になっていることに加え、作業者が雪で滑って、傾斜した屋根から落下し易いという不具合がある。
【０００３】
このような不具合を解消するため、地上から屋根の雪降ろしが容易にできると共に、屋根から落ちてきた雪塊が雪降ろし中の作業者に容易に当接しない除雪スコップが開示されている（例えば、特許文献１参照）。
【０００４】
特許文献１による除雪スコップは、屋根に積もった雪に差し込まれる角型のスコップ本体と、スコップ本体に先端部が着脱自在に固定され、把持可能な長尺の棒状部材とで構成され、スコップ本体は、前縁が雪に差し込み可能な板状の差し込み部と、差し込み部の後縁から更に延出して、差し込み部に収容された雪塊を左右に振り分け可能に、中央部に向かって上り傾斜した一対の傾斜面を形成した除雪部と、を有し、差し込み部は、中央部から立設し、雪塊を分断可能な板状片を有している。
【０００５】
一方、樹木に積もった雪を放置しておくと、その重量により枝が折れることがある。又、軒端から下がる氷柱を放置しておくと、氷柱が落下したときに、軒下にいる人間や器物に当たって危険であることから、屋根又は樹木に積もった雪を落下させることができ、軒端からぶら下がっている氷柱を叩き落とすことができる除雪具が開示されている（例えば、特許文献２参照）。
【０００６】
特許文献２による除雪具は、伸縮自在なロッドの前端部に補強リブを設けたプレートを一体的に固定し、鋸歯状の氷柱叩き落とし部をプレートの前端の一部に形成すると共に、プレートの他部に湾曲に切り欠いた枝押し上げ部を形成し、更に、プレートの後端には、湾曲に切り欠いた枝引掛け部を形成している。
【先行技術文献】
【特許文献】
【０００７】
【特許文献１】登録実用新案第３１６７４４８号公報
【特許文献２】登録実用新案第３０８７４００号公報
【考案の概要】
【考案が解決しようとする課題】
【０００８】
特許文献１による除雪スコップは、差し込み部に押し込まれた雪塊が除雪部で左右に振り分けられて落下するので、雪塊が作業者に当たることを避けることができる。しかし、屋根に積もった雪は、その自重で圧縮されて下層部分が硬くなっていることがある。このため、特許文献１による除雪スコップを用いて、硬くなった圧縮状態の雪を差し込み部に押し込むこと、及び硬くなった圧縮状態の雪を差し込み部で切断することが容易では無い、という問題がある。
【０００９】
一方、特許文献２による除雪具は、屋根に積もった雪の下層に、鋸歯状の氷柱叩き落とし部を地上から差し込んで持ち上げることにより、雪を落下させることができる、としている。しかし、特許文献２による除雪具は、圧縮状態の雪塊が作業者に当たるおそれがある。又、特許文献２による除雪具は、屋根に積もった雪に前方から氷柱叩き落とし部を差し込むことは容易であるが、圧縮状態の雪を切断するためには、鋸歯状の氷柱叩き落とし部を左右に揺動する必要があるので、作業者の負担が大きいという問題がある。
【００１０】
屋根に積もった圧縮状態の雪を地上から切断して容易に落下できると共に、屋根から落下させた雪塊が作業者に当たることを防止できる除雪スコップが実現できれば便利であり、安全である。そして、以上のことが本考案の課題といってよい。
【００１１】
本考案は、このような課題に鑑みてなされたものであり、屋根に積もった硬くなった圧縮状態の雪を地上から切断して容易に落下できると共に、屋根から落下させた雪塊が作業者に当たることを防止できる除雪スコップを提供することを目的とする。
【課題を解決するための手段】
【００１２】
本考案者は、硬質部材からなる角型のスコップ本体と、スコップ本体に先端部が着脱自在に固定された伸縮自在な操作棒で除雪スコップを構成し、スコップ本体には、屋根に積もった圧縮状態の雪に前縁部が差し込み可能であり、圧縮状態の雪を切断可能な鋸刃を両側縁部に形成した両刃鋸状の平坦な雪受け部を前方部に設け、雪受け部に連続して、雪受け部に収容された雪塊を左右に振り分け可能に、中央部に向かって上り傾斜した一対の傾斜面を形成した除雪部を後方部に設けることにより、これらの課題を解消できると考え、これに基づいて、以下のような新たな除雪スコップを考案するに至った。
【００１３】
本考案による除雪スコップは、屋根に積もった、少なくとも圧縮状態の雪に差し込み可能な、硬質部材からなる角型のスコップ本体と、このスコップ本体に先端部が着脱自在に固定された伸縮自在な操作棒と、を備え、前記スコップ本体は、前方部に設けられ、前縁部を圧縮状態の雪に差し込み可能な平坦な雪受け部と、後方部に設けられ、前記雪受け部の後部から上り傾斜するように屈曲され、前記雪受け部から移動された雪塊を当該スコップ本体の移動方向と交差する方向に分断可能な楔形の排雪突部を中央部に設けた除雪部と、を有し、前記雪受け部は、圧縮状態の雪を切断可能な鋸刃を両側縁部に有し、前記除雪部の排雪突部は、当該除雪部の中央部に形成され、後方に向かって上り傾斜した稜線と、この稜線に向かって上り傾斜した一対の傾斜面と、を有し、分断された雪塊は、少なくとも一方の前記傾斜面を経由して外部に排雪される。
【００１４】
本考案による除雪スコップを用いて、作業者は以下のように除雪できる。
最初に、操作棒を把持して、地上から傾斜した屋根面に沿って下から上に向けて、屋根に積もった圧縮状態の雪にスコップ本体の雪受け部の前縁部を差し込む。
次に、圧縮状態の雪に向かって、スコップ本体を進行させる力を加えながら、前後に移動すると、雪受け部の両側縁部に形成した鋸刃で圧縮状態の雪を切断できる。つまり、スコップ本体は、圧縮状態の雪を切断しながら、雪の内部に進行できる。
前述した操作を続けると、圧縮状態の雪は、雪受け部から除雪部に相対的に移動する。
更に、前述した操作を続けると、圧縮状態の雪には、楔形の排雪突部で左右に分断される力が働く。この場合、除雪部の排雪突部は、後方に向かって上り傾斜した稜線を有しているので、圧縮状態の雪には、前後方向に分断される力が働く。つまり、除雪部は、圧縮状態の雪を掻き分けるように進行することができる。
そして、前述した操作の過程では、分断された雪塊は、それらの自重で外部に排雪される。この場合、分断された雪塊は、左右に均等に振り分けられるか、又は、片側に偏って排雪されるか、その挙動は様々であると考えられるが、除雪部の排雪突部は、稜線に向かって上り傾斜した一対の傾斜面を有しているので、作業者を避けて、雪塊が落下することが確実である。
【考案の効果】
【００１５】
本考案による除雪スコップは、圧縮状態の雪を切断可能な両刃鋸状の平坦な雪受け部を前方部に設け、雪受け部から移動された雪塊を分断可能な楔形の排雪突部を設けた除雪部を後方部に設けたスコップ本体を備えているので、屋根に積もった圧縮状態の雪を地上から切断して容易に落下できると共に、屋根から落下させた雪塊が作業者に当たることを防止できる。
【図面の簡単な説明】
【００１６】
【図１】本考案の一実施形態による除雪スコップの構成を示す斜視図である。
【図２】前記実施形態による除雪スコップの右側面図である。
【図３】前記実施形態による除雪スコップに備わる操作棒の配置図であり、複数の操作棒の内、一部は連結状態を示している。
【考案を実施するための形態】
【００１７】
以下、図面を参照して本考案を実施するための形態を説明する。
［除雪スコップの構成］
最初に、本考案の一実施形態による除雪スコップの構成を説明する。図１は、本考案の一実施形態による除雪スコップの構成を示す斜視図である。図２は、前記実施形態による除雪スコップの右側面図である。図３は、前記実施形態による除雪スコップに備わる操作棒の配置図であり、複数の操作棒の内、一部は連結状態を示している。
【００１８】
（全体構成）
図１から図３を参照すると、本考案の一実施形態による除雪スコップ１０は、硬質部材からなる角型のスコップ本体１と伸縮自在な操作棒２とを備えている。スコップ本体１は、傾斜した屋根に積もった、少なくとも圧縮状態の雪に差し込むことができる。操作棒２は、その先端部がスコップ本体１に着脱自在に固定されている。
【００１９】
（スコップ本体の構成）
次に、スコップ本体１の構成を説明する。図１又は図２を参照すると、スコップ本体１は、略矩形に展開された弾性を有するステンレス板などの硬質部材が折り曲げ加工されて形成されている。そして、スコップ本体１は、平坦な雪受け部１１を前方部に設けている。雪受け部１１は、前縁部１１ａを圧縮状態の雪に差し込むことができる。
【００２０】
又、図１又は図２を参照すると、スコップ本体１は、除雪部１２を後方部に設けている。除雪部１２は、雪受け部１１の後部から上り傾斜するように屈曲されている。又、除雪部１２は、楔形の排雪突部１２ａを中央部に設けている。排雪突部１２ａは、雪受け部１１から移動された雪塊をスコップ本体１の移動方向と交差する方向に分断できる。
【００２１】
図１又は図２を参照すると、雪受け部１１は、一対の鋸刃１１ｂ・１１ｂを両側縁部に形成している。鋸刃１１ｂは、圧縮状態の雪を切断できる。図１に示された鋸刃１１ｂは、雪受け部１１の移動方向に対して上刃ｔ１が傾斜し、雪受け部１１の移動方向に対して下刃ｔ２が直交しており、雪受け部１１を引いたときに、圧縮状態の雪をより切断できるように構成している。なお、鋸刃１１ｂは、雪受け部１１を押したときに、圧縮状態の雪をより切断できるように構成してもよく、又は、雪受け部１１を往復したときに、圧縮状態の雪を切断できるように構成してもよく、実施形態に限定されない。
【００２２】
図１又は図２を参照すると、排雪突部１２ａは、除雪部１２の中央部に形成された稜線ｅ１を有している。稜線ｅ１は、後方に向かって上り傾斜している。又、排雪突部１２ａは、稜線ｅ１に向かって上り傾斜した、直角三角形状の一対の傾斜面１２１・１２１を有している。後述するように、分断された雪塊は、少なくとも一方の傾斜面１２１を経由して外部に排雪される。
【００２３】
図１又は図２を参照すると、除雪部１２は、稜線ｅ１を山折りにして、一対の傾斜面１２１・１２１を構成している。又、除雪部１２は、稜線ｅ２を谷折りにして、傾斜面１２１と直角三角形状の平面１２２で構成している。このように、除雪部１２は、互いに屈折した四つの平面で形成されている。なお、雪受け部１１と一対の平面１２２・１２２は、緩やかな曲面で連なっている。又、スコップ本体１を軽量化するために、除雪部１２には、複数の打ち抜き穴１２ｈを開口している。
【００２４】
（操作棒の構成）
次に、操作棒２の構成を説明する。図３を参照すると、操作棒２は、スコップ本体１を固定可能な先頭の操作棒２１、中間の操作棒２２、及び末端の操作棒２３で構成している。除雪する屋根の高さに対応して、先頭の操作棒２１だけて使用することができ、先頭の操作棒２１に中間の操作棒２２を継ぎ足して使用することもでき、更に、中間の操作棒２２に末端の操作棒２３を継ぎ足して使用することもできる。例えば、操作棒２１・２３は、それぞれ約１ｍの長さを有し、中間の操作棒２２は、約２ｍの長さを有し、全ての操作棒２１・２２・２３を継ぎ足して約４ｍの長さで使用できる。
【００２５】
図３を参照すると、操作棒２１・２２・２３は、内部が中空のアルミニウム製のパイプからなり、スコップ本体１を取り外した状態で先頭の操作棒２１を中間の操作棒２２の内部に収容できる。又、末端の操作棒２３を中間の操作棒２２の内部に収容できる。このように、実施形態による操作棒２は、搬送を便利にするため、伸縮自在に構成している。
【００２６】
図１又は図２を参照すると、先頭の操作棒２１は、先端面から基端部側に向かって、軸方向にスリット２１ｓを形成している。雪受け部１１と除雪部１２に跨って開口された穴１１ｈ（図１参照）に操作棒２１を挿入して、スリット２１ｓを雪受け部１１に挿入する。次に、複数のねじ２１ｂとナット２１ｎで雪受け部１１を挟持するように締結する。なお、図示はしないが、雪受け部１１には、複数のねじ２１ｂが挿通可能な穴が開口されている。このように、スコップ本体１と操作棒２は、組立容易に別体で構成している。
【００２７】
［除雪スコップの作用］
次に、実施形態による除雪スコップの作業手順を説明しながら、除雪スコップ１０の作用及び効果を説明する。
【００２８】
図１又は図２を参照して、最初に、操作棒２を把持して、地上から傾斜した屋根面に沿って下から上に向けて、屋根に積もった圧縮状態の雪にスコップ本体１の雪受け部１１の前縁部１１ａを差し込む。次に、圧縮状態の雪に向かって、スコップ本体１を進行させる力を加えながら、前後に移動すると、雪受け部１１の両側縁部に形成した一対の鋸刃１１ｂ・１１ｂで圧縮状態の雪を切断できる。つまり、スコップ本体１は、圧縮状態の雪を切断しながら、雪の内部に進行できる。
【００２９】
図１又は図２を参照して、前述した操作を続けると、圧縮状態の雪は、雪受け部１１から除雪部１２に相対的に移動する。更に、前述した操作を続けると、圧縮状態の雪は、楔形の排雪突部１２ａで左右に分断される力が働く。この場合、除雪部１２の排雪突部１２ａは、後方に向かって上り傾斜した稜線ｅ１を有しているので、圧縮状態の雪は、前後方向に分断される力が働く。つまり、除雪部１２は、圧縮状態の雪を掻き分けるように進行することができる。
【００３０】
図１又は図２を参照して、前述した操作の過程では、分断された雪塊は、それらの自重で外部に排雪される。この場合、分断された雪塊は、左右に均等に振り分けられるか、又は、片側に偏って排雪されるか、その挙動は様々であると考えられるが、除雪部１２の排雪突部１２ａは、稜線ｅ１に向かって上り傾斜した一対の傾斜面１２１・１２１を有しているので、作業者を避けて、雪塊が落下することが確実である。つまり、屋根から落下させた雪塊が作業者に当たることを防止できる。
【００３１】
このように、実施形態による除雪スコップ１０は、圧縮状態の雪を切断可能な両刃鋸状の平坦な雪受け部１１を前方部に設け、雪受け部１１から移動された雪塊を分断可能な楔形の排雪突部１２ａを設けた除雪部１２を後方部に設けたスコップ本体１を備えているので、屋根に積もった硬くなった圧縮状態の雪を地上から切断して容易に落下できると共に、屋根から落下させた雪塊が作業者に当たることを防止できる。
【００３２】
本考案は、屋根に積もった圧縮状態の雪を地上から切断して容易に落下できる除雪スコップを開示したが、雪受け部の両側縁部に形成した一対の鋸刃で軒端から下がる氷柱を切断することもできる。
【符号の説明】
【００３３】
１  スコップ本体
２  操作棒
１０  除雪スコップ
１１  雪受け部
１１ａ  前縁部
１１ｂ・１１ｂ  一対の鋸刃
１２  除雪部
１２ａ  排雪突部
１２１・１２１  一対の傾斜面
ｅ１  稜線
【図１】
0003173219.tif 000003
【図２】
0003173219.tif 000004
【図３】
0003173219.tif 000005